(57)【特許請求の範囲】
【請求項１】
走行体を備えた脚部と、この脚部に枢着した二本の差渡し杆でなる差渡し部、及び二本の梁部で形成するフレームと、このフレームにベースを介して載置された防霜ファンと、で構成される傾斜地対応の移動式防霜ファンの台車であって、
前記脚部に揺動自在に設けた長孔を有するステー板と、この長孔に設け、かつ前記差渡し杆に設けた螺子とで、回動手段を構成し、
前記二本の差渡し杆に設けた枢着部を介して、前記ベースを、この二本の差渡し杆の間に枢着し、
またこの二本の差渡し杆にそれぞれ設けた螺子を、当該枢着部の両端に、それぞれ枢着し、
この螺子を、前記ベースの両端に設けた曲面長孔に挿設する構成とし、
前記茶園が傾斜地であっても、このベースの水平状態を確保する構成とした傾斜地対応の移動式防霜ファンの台車。
【請求項２】
走行体を備えた脚部と、この脚部に枢着した二本の差渡し杆でなる差渡し部、及び二本の梁部で形成するフレームと、このフレームにベースを介して載置された防霜ファンと、で構成される傾斜地対応の移動式防霜ファンの台車であって、
前記脚部に設けた曲面長孔及び曲面孔を有するブラケット板と、この曲面長孔及び曲面孔に挿設され、かつ前記差渡し杆に設けた螺子とで、回動手段を構成し、
前記二本の差渡し杆に設けた枢着部を介して、前記ベースを、この二本の差渡し杆の間に枢着し、
またこの二本の差渡し杆にそれぞれ設けた螺子を、当該枢着部の両端に、それぞれ枢着し、
この螺子を、前記ベースの両端に設けた曲面長孔に挿設する構成とし、
前記茶園が傾斜地であっても、このベースの水平状態を確保する構成とした傾斜地対応の移動式防霜ファンの台車。
【発明の詳細な説明】
【０００１】
【発明の属する技術分野】
本発明は、傾斜地の茶園，農地（他の圃場も含む。）に適する傾斜地対応の移動式防霜ファンの台車に関する。
【０００２】
【従来の技術】
従来、茶園に設けた建柱に固定式の防霜ファン（以下、固定式防霜ファンとする。）が普及している。しかし、この固定式防霜ファンは、茶園管理装置（例えば、茶刈り機、防除機等）を使用する場合に、建柱が邪魔となること、又は景観上も好ましくないこと、設置・保守等の高所作業が問題視されていること、等の課題があり改良が望まれている。
【０００３】
そこで、本出願人は、特開平４−２８１７２１号の移動型防霜ファン、又は特開平９−１８２５３２号の移動式防霜ファンの台車を利用する防霜方法、及び移動式防霜ファンの台車を提案している。この発明の要旨は、畝間に敷設されたレール，又は畝地等（レールとする。）の間に跨設状に設けられるフレームと、このフレームに設置したファンと、でなる構成であって、前記レール上を移動して所定位置に設置した状態で使用され、稼働シーズン終了により、当該レールより離脱し、建屋に収納可能とする発明である。従って、前記固定式防霜ファンの弊害解消に役立つ構成を備えている。
【０００４】
【発明が解決しようとする課題】
前記文献は、一体型のフレーム上に防霜ファンを取り付ける構成となっている。従って、傾斜地においては、茶樹の刈り面又は所定方向に向かって送風、又は茶園の気候条件に対応した精緻な送風（これらの送風を、傾斜地対応の送風とする。）、等が期待できず、防霜効果が発揮されないこと、又は傾斜地・凹凸茶園等での転倒の虞があること、等の問題点が考えられる。
【０００５】
【課題を解決するための手段】
請求項１の発明は、傾斜地対応の送風の確保、及びこの送風の到達距離の確保、並びに送風の茶葉間への浸透性の確保等を意図する。そして、また、フレームに設けたベースの傾斜地における水平方向の支持を図ることを意図する。
【０００６】
請求項１は、走行体を備えた脚部と、この脚部に枢着した二本の差渡し杆でなる差渡し部、及び二本の梁部で形成するフレームと、このフレームにベースを介して載置された防霜ファンと、で構成される傾斜地対応の移動式防霜ファンの台車であって、
前記脚部に揺動自在に設けた長孔を有するステー板と、この長孔に設け、かつ前記差渡し杆に設けた螺子とで、回動手段を構成し、
前記二本の差渡し杆に設けた枢着部を介して、前記べースを、この二本の差渡し杆の間に枢着し、
またこの二本の差渡し杆にそれぞれ設けた螺子を、当該枢着部の両端に、それぞれ枢着し、
この螺子を、前記ベースの両端に設けた曲面長孔に挿設する構成とし、
前記茶園が傾斜地であっても、このベースの水平状態を確保する構成とした傾斜地対応の移動式防霜ファンの台車である。
【０００７】
請求項２の発明は、傾斜地対応の送風の確保、及びこの送風の到達距離の確保、並びに送風の茶葉間への浸透性の確保等を意図する。そして、また、フレームに設けたベースの傾斜地における水平方向の支持を図ることを意図する。
【０００８】
請求項２は、走行体を備えた脚部と、この脚部に枢着した二本の差渡し杆でなる差渡し部、及び二本の梁部で形成するフレームと、このフレームにベースを介して載置された防霜ファンと、で構成される傾斜地対応の移動式防霜ファンの台車であって、
前記脚部に設けた曲面長孔及び曲面孔を有するブラケット板と、この曲面長孔及び曲面孔に挿設され、かつ前記差渡し杆に設けた螺子とで、回動手段を構成し、
前記二本の差渡し杆に設けた枢着部を介して、前記ベースを、この二本の差渡し杆の間に枢着し、
またこの二本の差渡し杆にそれぞれ設けた螺子を、当該枢着部の両端に、それぞれ枢着し、
この螺子を、前記ベースの両端に設けた曲面長孔に挿設する構成とし、
前記茶園が傾斜地であっても、このベースの水平状態を確保する構成とした傾斜地対応の移動式防霜ファンの台車である。
【０００９】
【発明の実施の形態】
移動式の防霜ファンの台車を傾斜地のレール（畝地等、以下レールとする。）に載置する。この場合、フレームの脚部は傾斜方向と略直角方向に立設されているので、続いて、回動手段の締付具及び支持手段の締付具（螺子等）をそれぞれ弛緩する。この弛緩により脚部と差渡し部，梁部の固定状態が解除されるので、当該脚部と差渡し部は枢着部を支点としてそれぞれ回動できる。そこで、脚部を順次鉛直方向に移動させる。この脚部の移動に伴って差渡し部が傾斜地の勾配に順次整合されていく。そして、脚部の鉛直方向への移動が行われ締付具の緊締で固定されたときに、ベースの水平方向の支持を行う。即ち、この支持手段の枢着部と、この枢着部の少なくとも一方側に設けられた支持手段の締付具の弛緩により、当該ベースを水平方向に回動して水平方向になったときに、この締付具の緊締で固定する。即ち、ベース及び防霜ファンは脚部の上下動及び差渡し部の傾斜角度に影響されず、常に略同じ姿勢を保持し、茶樹に向かって送風する。
【００１０】
尚、締付具は手動又は自動のいずれでも可能である。また回動手段は、図例では、図１〜図５のステー構造、図６、図７のノブラケット構造、他には、リンク機構、シリンダー機構、カム機構、歯車機構等を採用する。
【００１１】
【実施例】
以下、本発明の一実施例を図面に基づいて説明する。
【００１２】
１はフレームで、このフレーム１は、車輪、ローラ等の走行部２１を備えた走行枠２２で構成する走行体２と、この走行体２に設けられた二本〜数本の脚杆３１でなる脚部３と、この脚部３間に枢着部４を介して傾斜可能に設けられた二本〜数本の差渡し杆５１でなる差渡し部５、及び前記脚部３の脚杆３１間に設けられた二本〜数本の梁杆６１でなる梁部６で構成されており、当該フレーム１は、平坦地及び傾斜地等に対応できる。
【００１３】
脚部３と差渡し部５との枢着部４に設けられた回動手段は、図１〜図５のステー構造（ステーとする。）、図６、図７ノブラケット構造（ブラケットとする。）、等がある。このステーは、長孔７１を有するステー板７２と、この長孔７１に設けた螺子７３と、で構成されている。従って、図２の平坦地対応から図４の傾斜地対応に移行した場合、即ち、差渡し杆５１が図例のように傾斜したときは、このステー板７２が揺動し、かつ（図面に向かって）左側の螺子７３が長孔７１に沿って上方に移動し、また（図面に向かって）右側の螺子７３が長孔７１に沿って下方に移動する構成である（尚、図示しない逆方向の傾斜では、前述の各状況は当然逆となる）。またブラケットは、曲面長孔７１ａ及び曲面孔７１ｂを有するブラケット板７２ａと、この曲面長孔７１ａ及び曲面孔７１ｂに挿設された螺子７３と、で構成されている。従って、図６の平坦地対応から図７の傾斜地対応に移行した場合、即ち、差渡し杆５１が傾斜したときは、左側の螺子７３が曲面長孔７１ａ及び曲面孔７１ｂに沿って上方に移動し、また右側の螺子７３が曲面長孔７１ａ及び曲面孔７１ｂに沿って下方に移動する構成である。
【００１４】
８はベース９と差渡し部５の枢着部８１に設けた支持手段で、この支持手段８は、枢着部８１の両側に設けた曲面長孔８２と、この曲面長孔８２に挿設される螺子８３と、で構成されている。従って、図２の平坦地対応から図４の傾斜地対応に移行する場合、即ち、差渡し杆５１が傾斜すると、このベース９の水平状態の支持は、枢着部８１を支点とし、左側の螺子８３が曲面長孔８２に沿って下方に移動し、また右側の螺子８３が上方に移動することにより達成される。尚、この支持手段８の枢着部８１は省略も可能である。即ち、支持手段８を、曲面長孔８２と螺子８３で構成する。図中９１は防霜ファン用のパイプである。
【００１５】
１０は防霜ファンの一例を示しており、１１は防霜ファン１０の傾斜俯角調整手段、１２は防霜ファン１０の風達俯角調整手段、１３は防霜ファン１０の旋回手段、１４は防霜ファン１０の駆動手段、１５はファン、１６は必要により設けられるガードをそれぞれ示す。他の構成は従来の防霜ファン（図示せず）と略同じである。
【００１６】
図中１７はレールである。
【００１７】
【発明の効果】
請求項１の発明は、走行体を備えた脚部と、脚部に枢着した二本の差渡し杆でなる差渡し部、及び二本の梁部で形成するフレームと、フレームにベースを介して載置された防霜ファンと、で構成される傾斜地対応の移動式防霜ファンの台車であって、
脚部に揺動自在に設けた長孔を有するステー板と、長孔に設け、かつ差渡し杆に設けた螺子とで、回動手段を構成し、
二本の差渡し杆に設けた枢着部を介して、べースを、二本の差渡し杆の間に枢着し、
また二本の差渡し杆にそれぞれ設けた螺子を、枢着部の両端に、それぞれ枢着し、
螺子を、ベースの両端に設けた曲面長孔に挿設する構成とし、
茶園が傾斜地であっても、ベースの水平状態を確保する構成とした傾斜地対応の移動式防霜ファンの台車である。従って、傾斜地対応の送風の確保、及びこの送風の到達距離の確保、並びに送風の茶葉間への浸透性の確保が図れる。また傾斜地・凹凸茶園等での転倒防止に役立つこと、及び防霜効果が発揮できる。そして、また、フレームに設けたベースの傾斜地における水平方向の支持が図れる。
【００１８】
請求項２の発明は、走行体を備えた脚部と、脚部に枢着した二本の差渡し杆でなる差渡し部、及び二本の梁部で形成するフレームと、フレームにベースを介して載置された防霜ファンと、で構成される傾斜地対応の移動式防霜ファンの台車であって、
脚部に設けた曲面長孔及び曲面孔を有するブラケット板と、曲面長孔及び曲面孔に挿設され、かつ差渡し杆に設けた螺子とで、回動手段を構成し、
二本の差渡し杆に設けた枢着部を介して、ベースを、二本の差渡し杆の間に枢着し、
また二本の差渡し杆にそれぞれ設けた螺子を、枢着部の両端に、それぞれ枢着し、
螺子を、ベースの両端に設けた曲面長孔に挿設する構成とし、
茶園が傾斜地であっても、ベースの水平状態を確保する構成とした傾斜地対応の移動式防霜ファンの台車である。従って、傾斜地対応の送風の確保、及びこの送風の到達距離の確保、並びに送風の茶葉間への浸透性の確保が図れる。また傾斜地・凹凸茶園等での転倒防止に役立つこと、及び防霜効果が発揮できる。そして、また、フレームに設けたベースの傾斜地における水平方向の支持が図れる。
【図面の簡単な説明】
【図１】本発明の使用の一例を示す全体の斜視図である。
【図２】本発明のステーの一例を示す平坦地での正面図である。
【図３】本発明のステーの一例を示す平坦地での側面図である。
【図４】本発明のステーの一例を示す傾斜地での正面図である。
【図５】本発明のステーの一例を示す傾斜地での側面図である。
【図６】本発明のブラケットの一例を示す平坦地での正面図である。
【図７】本発明ノブラケットの一例を示す傾斜地での正面図である。
【符号の説明】
１        フレーム
２        走行体
２１      走行部
２２      走行枠
３        脚部
３１      脚杆
４        枢着部
５        差渡し部
５１      差渡し杆
６        梁部
６１      梁杆
７１      長孔
７１ａ    曲面長孔
７１ｂ    曲面孔
７２      ステー板
７２ａ    ブラケット板
７３      螺子
８        支持手段
８１      枢着部
８２      曲面長孔
８３      螺子
９        ベース
９１      パイプ
１０      防霜ファン
１１      傾斜俯角調整手段
１２      風達俯角調整手段
１３      旋回手段
１４      駆動手段
１５      ファン
１６      ガード
１７      レール
【図１】
0004003903.tif 000002
【図２】
0004003903.tif 000003
【図３】
0004003903.tif 000004
【図４】
0004003903.tif 000005
【図５】
0004003903.tif 000006
【図６】
0004003903.tif 000007
【図７】
0004003903.tif 000008